(57)【要約】      （修正有）【課題】小動物を傷つけることなく、安全、確実、効果的に捕獲するとともに、小型軽量で、罠の設置が容易な、小動物捕獲用の罠を提供する。【解決手段】小動物を、餌によって誘引して、捕獲する小動物捕獲用の罠１の本体が、透明な素材で作られた中筒４と、中筒４の前部と後部とにそれぞれ嵌着される筒状の前キャップ２と後キャップ３との３つの部材からなる。前キャップ２には、その端壁２ａの中央部に、小動物が手を入れることができる穴５が設けられ、その端壁２ａの内側面の穴５の周りに、小動物の腕を掴むことができる適数個の開閉自在のアーム４０が設けられている。本体の前部と後部とには、罠１を吊り下げる第１の紐の両端がそれぞれ結び付けられている。本体の後部には、捕獲した小動物が罠１ごと逃げないように、罠１を木の幹などの固定物に結び付ける第２の紐が更に結び付けられている。【選択図】図１
2014217363.tif 000002
【特許請求の範囲】
【請求項１】
小動物を、餌によって誘引して、捕獲する小動物捕獲用の罠において、
その本体が、透明な素材で作られた中筒と、前記中筒の前部に嵌着される筒状の前キャップと、前記中筒の後部に嵌着される筒状の後キャップとの３つの部材からなり、
前記前キャップには、その端壁の中央部に、小動物が手を入れることができる穴が設けられ、その端壁の内側面の前記穴の周りに、小動物の腕を掴むことができる適数個の開閉自在なアームが設けられ、
前記本体の前部と後部とには、前記罠を吊り下げる第１の紐の両端がそれぞれ結び付けられ、
前記本体の後部には、捕獲した小動物が罠ごと逃げないように、罠を木の幹などの固定物に結び付ける第２の紐が更に結び付けられている、
ことを特徴とする小動物捕獲用の罠。
【請求項２】
前記アームは、ストレート状のアーム本体と、前記アーム本体の先端に固着される円弧状の枝アームとからなり、適数個の前記アーム本体の先端にそれぞれ固着される適数個の前記枝アームの全体が、略リングを形成するようにして配置されており、
前記アーム本体は、アームホルダーに設けられたピンを中心に、回転自在に前記アームホルダーに取り付けられ、
適数個の前記アームホルダーは、前記前キャップの端壁の内側面の、前記、猿が手を入れることができる穴の周りに配置されて固定され、猿が手を入れると、適数個の前記アームは、それぞれ前記ピンを中心に回転して開くようにされており、
前記アームと前記アームホルダーとの間には、スプリング等の弾性体が介設され、前記アームを閉じる方向に引っ張るように付勢されている、
ことを特徴とする請求項１に記載の小動物捕獲用の罠。
【請求項３】
前記第２の紐は、前記後キャップと前記中筒の後部とを貫通するボルトにその軸方向に離間して形成された２つの穴と、前記２つの穴に対応させて、前記後キャップの端壁に形成された２つの穴とにそれぞれ通されて、外部に引き出されていることを特徴とする請求項１に記載の小動物捕獲用の罠。
【請求項４】
前記中筒の前記前キャップと前記後キャップとに挟まれた筒体部分には、適数個の通気孔が設けられていることを特徴とする請求項１に記載の小動物捕獲用の罠。
【請求項５】
前記後キャップの端壁には、開閉できる蓋が備えられていることを特徴とする請求項１に記載の小動物捕獲用の罠。
【請求項６】
前記前キャップ、前記中筒、前記後キャップの形状が、円筒形状とされていることを特徴とする請求項１に記載の小動物捕獲用の罠。
【発明の詳細な説明】
【技術分野】
【０００１】
本願の発明は、小動物捕獲用の罠に関し、特に猿やムジナ等の小動物を餌によって誘引して、罠に入れた手をアームで掴んで抜けないようにすることにより、これら小動物を傷つけることなく、捕獲することができるようにした、小動物捕獲用の罠に関する。
【背景技術】
【０００２】
小動物、その典型例として、猿の被害は、日本全国に及び、農家や自治体は、猿による農業被害や人的被害で困っているところが多い。これは、猿を捕獲する有効な方法が見つからないことに起因している。鉄で作った箱罠などは、重量があり、その搬入及び設置の作業は、一人では困難である。また、猿は、警戒心が強いので、箱罠の中になかなか入ってくれない。玉網などで捕獲しようとしても、屋根を伝って逃げてしまい、無理である。猟友会などによる銃による威嚇も、人家の周りでは、危険であり、猿を殺傷する訳には行かない。
【０００３】
従来、捕獣用罠としては、例えば、特開２０１０−２６８６９９号（特許文献１）に記載されているような、箱型の捕獲用ケージと、ケージの入口に設けられた、落下式扉とで構成されたものがある。しかしながら、この形式の罠は、大きくて重量があるので、罠の設置に多大の労力がいる。さらに、猿のような知能の高い動物は、捕獲用ケージに警戒感を抱き、なかなか近づいて来ないので、捕獲する確率が低い。
実用新案登録第３１０４０７１号公報（特許文献２）に記載のものは、構成部材として、動物の出入り口以外は金属製以外のワイヤーロープ等を用いて、軽量化を図っているが、箱型の捕獲用ケージとしてのその他の欠点は、依然として改善されない。
【０００４】
また、他の例として、例えば、実用新案登録第３１４０００６号公報（特許文献３）に記載されているものでは、猿を餌によって誘引し、猿が餌を入れた罠に手を入れ、そこに仕掛けられた、Ｙ字型のワイヤーに手を引っ掛けると、このワイヤーが引っ張られ、別の捕獲用ワイヤーを固定しているピンが解除され、この捕獲用ワイヤーがバネ等で引っ張られて、猿の手を括って、猿を捕えるようになっている。
【０００５】
しかしながら、この方法では、捕獲用ワイヤーを引っ張るバネ等の力が掛かった、前記固定用ピンを解除するための力が要るため、前記Ｙ字型のワイヤーを強く引くか押さねばならない上、餌の中にＹ字型のワイヤーが見えるため、警戒心の強い猿は罠に気付き、捕獲する確率が低くなる。さらに、捕えた猿を逃がさないために、捕獲用ワイヤーは、強いバネで引っ張って、猿の手を締め付けるので、猿を傷つけてしまう。
【先行技術文献】
【特許文献】
【０００６】
【特許文献１】特開２０１０−２６８６９９号公報
【特許文献２】実用新案登録第３１０４０７１号公報
【特許文献３】実用新案登録第３１４０００６号公報
【発明の概要】
【発明が解決しようとする課題】
【０００７】
本願の発明は、従来の小動物捕獲用の罠が有する前記のような問題点を解決して、小動物を傷つけることなく、安全、確実、効果的に捕獲するとともに、小型軽量で、罠の設置が容易な、小動物捕獲用の罠を提供することを課題とする。
【課題を解決するための手段】
【０００８】
前記のような課題は、本願の特許請求の範囲の各請求項に記載された次のような発明により解決される。
すなわち、その請求項１に記載された発明は、小動物を、餌によって誘引して、捕獲する小動物捕獲用の罠において、その本体が、透明な素材で作られた中筒と、前記中筒の前部に嵌着される筒状の前キャップと、前記中筒の後部に嵌着される筒状の後キャップとの３つの部材からなり、前記前キャップには、その端壁の中央部に、小動物が手を入れることができる穴が設けられ、その端壁の内側面の前記穴の周りに、小動物の腕を掴むことができる適数個の開閉自在なアームが設けられ、前記本体の前部と後部とには、前記罠を吊り下げる第１の紐の両端がそれぞれ結び付けられ、前記本体の後部には、捕獲した小動物が罠ごと逃げないように、罠を木の幹などの固定物に結び付ける第２の紐が更に結び付けられている、ことを特徴とする小動物捕獲用の罠である。
【０００９】
請求項１に記載された発明は、前記のように構成されているので、小動物は、透明な中筒を通して餌を視認でき、前キャップに設けられた穴に、その周りに備えられた開閉自在の適数個のアームを押し開いてその手を入れる時に、手を括るワイヤーとか、罠を作動させるトリガーのような部品が無いため、過度の警戒心を抱かず手を入れてしまうので、小動物の捕獲率が高い。
さらに、その罠は、部品点数も少なく、軽量小型に製作することができ、しかも、罠の設置は、罠を、木の枝などに、罠の前後部に結び付けた第１の紐で引っ掛け、罠拘束用のワイヤー等の第２の紐を木の幹などの固定物に巻き付けて、罠を拘束するだけの簡単な作業なので、一人でいくつもの罠を持って行って設置することができる。
【００１０】
また、その請求項２に記載された発明は、請求項１に記載の小動物捕獲用の罠において、前記アームは、ストレート状のアーム本体と、前記アーム本体の先端に固着される円弧状の枝アームとからなり、適数個の前記アーム本体の先端にそれぞれ固着される適数個の前記枝アームの全体が、略リングを形成するようにして配置されており、前記アーム本体は、アームホルダーに設けられたピンを中心に、回転自在に前記アームホルダーに取り付けられ、適数個の前記アームホルダーは、前記前キャップの端壁の内側面の、前記、猿が手を入れることができる穴の周りに配置されて固定され、猿が手を入れると、適数個の前記アームは、それぞれ前記ピンを中心に回転して開くようにされており、前記アームと前記アームホルダーとの間には、スプリング等の弾性体が介設され、前記アームを閉じる方向に引っ張るように付勢されている、ことを特徴としている。
【００１１】
請求項２に記載された発明は、前記のように構成されているので、小動物が、罠に手を入れようとすると、各アームは、手に押されて回転して開き、容易に手を罠の中に差し込むことができる。次に、小動物が、罠に入れた手を引き抜こうとすると、アームにはスプリング等の弾性体で、アームを閉じる方向の力が掛かっているので、引き抜かれて行く小動物の手に沿って、アームが閉じて行き、最後に、リング状の適数個の枝アームが小動物の手首を挟んで、手を抜けなくする。小動物が、逃れようと更に強く手を引くと、それらのアームは、小動物の手を締め付けるように小動物自身の力で回転し、小動物の手を更に強く締め付けるため、小動物の捕獲を確実にすることができる。
一方、小動物の手首を締め付けている枝アームは、捕獲ワイヤーのように、深く手首に食い込むことはないので、小動物を傷つけることなく、捕獲することができる。
【００１２】
また、その請求項３に記載された発明は、請求項１に記載の小動物捕獲用の罠において、前記第２の紐は、前記後キャップと前記中筒の後部とを貫通するボルトにその軸方向に離間して形成された２つの穴と、前記２つの穴に対応させて、前記後キャップの端壁に形成された２つの穴とにそれぞれ通されて、外部に引き出されていることを特徴としている。
【００１３】
請求項３に記載された発明は、前記のように構成されているので、第２の紐は、確実に、堅固に、罠本体の後部に結び付けられ、罠を、木の幹などの固定物に結び付け、拘束するので、捕獲した小動物が罠ごと逃げるのを確実に防ぐことができる。
【００１４】
さらに、その請求項４に記載された発明は、請求項１に記載の小動物捕獲用の罠において、前記中筒の前記前キャップと前記後キャップとに挟まれた筒体部分には、適数個の通気孔が設けられていることを特徴としている。
【００１５】
請求項４に記載された発明は、前記のように構成されているので、中筒に設けられた適数個の通気孔から、餌の匂いが流出し、遠くにいる小動物を引き寄せる誘引効果を増すことができる。さらに、この通気孔があるため、中の餌を傷みにくくすることができる。
【００１６】
また、その請求項５に記載された発明は、請求項１に記載の小動物捕獲用の罠において、前記後キャップの端壁には、開閉できる蓋が備えられていることを特徴としている。
【００１７】
請求項５に記載された発明は、前記のように構成されているので、小動物を誘引する餌の取付けや交換を容易に行うことができる。
【００１８】
また、その請求項６に記載された発明は、請求項１に記載の小動物捕獲用の罠において、前記前キャップ、前記中筒、前記後キャップの形状が、円筒形状とされていることを特徴としている。
【００１９】
請求項６に記載された発明は、前記のように構成されているので、前キャップ、中筒、後キャップの製作材料として、豊富に市販されている、水道や下水道などに用いられる、塩ビ（塩化ビニール）やアクリルやポリカーボネートからなる既製の配管材料を使用でき、入手が容易である。前キャップや後キャップの製作材料としては、他に、市販の金属製パイプを使用することもできる。そして、これらの材料を輪切りに切断して、ドリルで穴を開けるだけで、前後のキャップや中筒を製作できるので、罠本体を安価に製作することができる。
【発明の効果】
【００２０】
本願の発明によれば、前記のとおり、次のような効果を奏することができる。
小動物は、透明な中筒を通して餌を視認でき、前キャップに設けられた穴に、その周りに備えられた開閉自在の適数個のアームを押し開いてその手を入れる時に、手を括るワイヤーとか、罠を作動させるトリガーのような部品が無いため、過度の警戒心を抱かず手を入れてしまうので、小動物の捕獲率が高い。
さらに、その罠は、部品点数も少なく、軽量小型に製作することができ、しかも、罠の設置は、罠を、木の枝などに、罠の前後部に結び付けた第１の紐で引っ掛け、罠拘束用のワイヤー等の第２の紐を、木の幹などの固定物に巻き付けて、罠を拘束するだけの簡単な作業なので、一人でいくつもの罠を持って行って設置することができる。
【００２１】
また、小動物が、罠に手を入れようとすると、各アームは、手に押されて回転して開き、容易に手を罠の中に差し込むことができる。次に、小動物が、罠に入れた手を引き抜こうとすると、アームにはスプリング等の弾性体で、アームを閉じる方向の力が掛かっているので、引き抜かれて行く小動物の手に沿って、アームが閉じて行き、最後に、リング状の適数個の枝アームが小動物の手首を挟んで、手を抜けなくする。小動物が、逃れようと更に強く手を引くと、それらのアームは、小動物の手を締め付けるように小動物自身の力で回転し、小動物の手を更に強く締め付けるため、小動物の捕獲を確実にすることができる。
一方、小動物の手首を締め付けている枝アームは、捕獲ワイヤーのように、深く手首に食い込むことはないので、小動物を傷つけることなく、捕獲することができる。
【００２２】
また、第２の紐は、確実に、堅固に、罠本体の後部に結び付けられ、罠を、木の幹など固定物に結び付け、拘束するので、捕獲した小動物が罠ごと逃げるのを確実に防ぐことができる。
【００２３】
さらに、中筒に設けられた適数個の通気孔から、餌の匂いが流出し、遠くにいる小動物を引き寄せる誘引効果を増すことができる。加えて、この通気孔があるため、中の餌を傷みにくくすることができる。
【００２４】
また、後キャップには、開閉できる蓋が備えられているので、小動物を誘引する餌の取付けや交換を容易に行うことができる。
【００２５】
また、前キャップ、中筒、後キャップの製作材料として、豊富に市販されている、水道や下水道などに用いられる、塩ビ（塩化ビニール）やアクリルやポリカーボネートからなる既製の配管材料を使用でき、入手が容易である。前キャップ２や後キャップ３の製作材料としては、他に、市販の金属製パイプを使用することもできる。そして、これらの材料を輪切りに切断して、ドリルで穴を開けるだけで、前後のキャップや中筒を製作できるので、罠本体を安価に製作することができる。
【図面の簡単な説明】
【００２６】
【図１】本願の発明の一実施例の小動物捕獲用の罠の斜め前方から見た斜視図である。
【図２】同罠の正面図である。
【図３】同罠の斜め後方から見た斜視図である。
【図４】アームユニットの斜視図である。
【図５】前キャップを内側から見た斜視図である。
【図６】同罠の縦断斜視図である。
【図７】同罠の後方部分の縦断斜視図である。
【図８】同罠に各種紐類を取り付けた状態を示す、図３と同様の図である。
【図９】同罠の前方部分の縦断斜視図であって、アームにアーム解除紐を取り付けた状態を示す図である。
【図１０】同罠に餌を取り付けた状態を示す、図７と同様の図である。
【図１１】同罠を仕掛けた状態を示す図である。
【図１２】同罠に猿の手が拘束されている状態を示す図である。
【発明を実施するための形態】
【００２７】
以下に、本願の発明の小動物捕獲用の罠の好適な一実施例を、図面を参照しつつ、詳細に説明する。
本実施例の小動物捕獲用の罠は、好適には、猿捕獲用の罠として使用される。そこで、以下、小動物が猿である場合を例に取って説明する。
本実施例の猿捕獲用の罠は、猿を餌によって誘引して、罠に入れた猿の手を拘束して、猿を捕える方式の罠であって、その外観構造は、図１に示されるように、罠１の本体が、透明な素材で作られた中筒４と、中筒４の前部に外方から嵌着された筒状の前キャップ２と、中筒４の後部に外方から嵌着された筒状の後キャップ３との３つの部材からなっている。中筒４は、樹脂製であり、前キャップ２と後キャップ３とは、樹脂製又は金属製である。これらの部材は、いずれも円筒形状をなしている。
【００２８】
前キャップ２には、その端壁２ａの中央部に、猿が手を入れることができる穴５が設けられている。また、その端壁２ａの内側面の穴５の周りに、図１、図２及び図５に示されるように、猿の手を掴むことができる適数個（本実施例では４個）のアームユニット２０が、固定されて設けられている。アームユニット２０の詳細については、後で、図４及び図５を参照して、詳しく説明する。
【００２９】
また、前キャップ２と後キャップ３の各周壁２ｂ、３ｂの適所には、図１に示されるように、罠１を木の枝などに吊るす第１の紐２５（図８参照）の両端をそれぞれ結び付けるための吊り金具１１がそれぞれ固着されて備えられている。罠１を吊るす場所としては、木の枝のほかに、猿の出没で困っている地域の家屋の軒先等が考えられる。
【００３０】
中筒４の、前キャップ２と後キャップ３とに挟まれた筒体部分には、図１に示されるように、適数個（本実施例では８個）の通気孔１２が設けられており、この通気孔１２から、猿を誘引する餌２９（図１０参照）の匂いが流出する。また、これら前キャップ２と中筒４及び後キャップ３と中筒４とは、適数個（本実施例では４個）の蝶形ボルト１３により、それぞれ連結されて強固に一体化されている。
【００３１】
後キャップ３の端壁３ａには、図３に示されるように、蓋１４が設けられている。この蓋１４は、蝶番１５で開閉自在に端壁３ａに取り付けられるとともに、留め金１６により、端壁３ａにロックされていて、勝手に蓋１４が開かないようになっている。また、この蓋１４には、図３及び図１０に示されるように、餌２９を括りつける第３の紐２７を通すための穴１８が設けられている。
【００３２】
後キャップ３の端壁３ａには、また、図３、図８及び図１０に示されるように、ワイヤー等からなる第２の紐２６を通すための穴１７が、端壁３ａの中心に関して点対称に２個、設けられている。この第２の紐２６は、捕獲した猿が罠１ごと逃げないように、罠１を木の幹などの固定物に結び付け、拘束するために、罠１の本体の後部に結び付けて取り付けられるものである。その取付けの詳細については、後述する。
【００３３】
中筒４の、前キャップ２と後キャップ３とに挟まれた筒体部分には、また、図３、図８及び図９に示されるように、後述するアームユニット２０を構成するアーム４０（図４参照）を引っ張って開く第４の紐２８を通すための穴１９が、アーム４０の数（本実施例では４個）だけ設けられている。
【００３４】
次に、アームユニット２０の構造を、図４及び図５を参照して、詳細に説明する。
アームユニット２０は、図４に示されるように、あらまし、アーム４０と、アームホルダー８と、スプリング等からなる弾性体１０とにより構成されている。
アーム４０は、ピン９を介して、アームホルダー８に回転自在に取り付けられており、ストレート状のアーム本体６と、円弧状の枝アーム７とからなっている。枝アーム７は、アーム本体６の先端に固着されて備えられていて、猿の手を直接に把捉する。
スプリング（弾性体）１０は、アーム本体６の先端部とアームホルダー８の基底部との間に介設（張設）されており、アーム４０を常に閉じる方向（アームホルダー８に近づける方向）に引っ張っている。スプリング１０として、ここでは、コイルスプリングが使用されている。
【００３５】
アームユニット２０は、図５により良く示されるように、前キャップ２の端壁２ａの内側面の、穴５の周りにその適数個（本実施例では４個）が配置されて、ボルト３２（図４参照）により、固定されて設けられている。
その結果、アームユニット２０を構成するアーム４０の先端部分の枝アーム７は、４個のアームユニット２０に対応する４個の枝アーム７の全体が集合して、略リング状をなすようになっている。各アーム４０は、猿が穴５に手を入れると、ピン９を中心として中筒４の奥方向に向かって同時に回転して開く。ボルト３２は、アーム４０のこの方向の回転と反対方向の回転のストッパーとしての機能も果たすことができる。
【００３６】
次に、罠１の後方部分の内部の構造を、図６、図７及び図１０を参照して、詳細に説明する。
罠１の後方部分である、後キャップ３が嵌着された中筒４の後方部分の内側には、蓋１４を止めるための蓋ストッパー２１が、後キャップ３の端壁３ａの内側面に取り付けられている。また、それよりやや前方には、ワイヤー取り付け棒２２が、固定されて設けられている。
【００３７】
このワイヤー取り付け棒２２は、第２の紐２６（図８、図１０参照）を罠１に結び付けるためのものであり、後キャップ３と中筒４とを貫通して中筒４の内部に差し込まれ、後キャップ３の外側で、ナット２３により、その両端が後キャップ３に固定されている。そして、その軸方向に離間した２個所には、第２の紐２６を通すための穴２４が、それぞれ設けられている。これらの穴２４は、前記した、後キャップ３の端壁３ａに設けられている２個の穴１７と、丁度、対応する位置にある。
【００３８】
図８は、前記した、第１〜第４の紐２５〜２８を取り付けた状態での、罠１の外観を示している。
罠１に備えられた、吊り金具１１に結び付けられた第１の紐２５により、罠１は、木の枝などに吊るされる。また、後キャップ３の穴１７を通されて出てきた第２の紐２６により、罠１は、捕えた猿が罠１ごと逃げないように、木の幹などに結び付けられて、拘束される。このようにして罠１が仕掛けられた状態が、図１１に示されている。
【００３９】
第３の紐２７は、後キャップ３に取り付けられた蓋１４に開けられた穴１８から外部に引き出される。そして、その先端には、紐２７を引くリング３０が取り付けられ、その基端には、図１０に示されるように、餌２９が括りつけられている。
餌２９の給仕方法は、先ず、蓋１４を開いて、第３の紐２７の基端に餌２９を括りつけ、次いで、餌２９を罠１の中に入れてから、蓋１４を閉じて、リング３０を引っ張ることにより、第３の紐２７を介して餌２９の位置を調整するようにする。
【００４０】
第４の紐２８は、捕えた猿を罠１から外すのに、アーム４０を引っ張ってこれを開くために使用される。この第４の紐２８は、前記した、中筒４に開けられた穴１９を通して外部に引き出されており（図８、図９参照）、その先端には、紐２８を引くリング３０が取り付けられている。
【００４１】
次に、第４の紐２８を用いて、アームユニット２０のアーム４０を開くための構造を、図９を参照して、説明する。
第４の紐２８は、枝アーム７が固着されるアーム本体６の先端部に括りつけられていて、中筒４に開けられた穴１９を通して外部に引き出されている。アーム本体６と枝アーム７とからなるアーム４０は、この紐２８の先端に取り付けられたリング３０を引っ張ることにより、中筒４の奥方向に回転させられて開かれる。このようにして、前キャップ２の端壁２ａの内側面に、穴５を囲むようにして取り付けられた、４個のアームユニット２０が有する４個のアーム４０の全てを引っ張って、これらを開かせることができる。そして、これにより、罠１に捕えられた猿を、傷つけることなく罠１から外すことができる。
【００４２】
次に、第２の紐２６を罠１に結び付ける方法を、図１０を参照して、詳細に説明する。
第２の紐２６は、後キャップ３の端壁３ａに設けられた２つの穴１７の一方の穴に通され、次いで、ワイヤー取り付け棒２２に設けられた２つの穴２４の一方の穴に通され、さらに、他方の穴に通された後、後キャップ３の端壁３ａに設けられた２つの穴１７の他方の穴に通されて、外部に引き出される。
この紐２６を、罠１の外側で、木の幹などに巻き付けてループ状にするか（図１１参照）、または、ループ状にした紐２６にさらに別の紐を通して、この紐を木の幹などに巻き付けるかして、捕えた猿が、罠１ごと逃げないようにする。
【００４３】
図１２は、罠１に猿の手３１が拘束されている状態を示している。
猿は、餌２９を取ろうとして、前キャップ２に開けられた穴５から、アーム４０を押し広げながら、罠１の中に手３１を入れる。この時すでに、アームユニット２０に備えられたスプリング１０によって、アーム４０は閉まる方向に回転し、枝アーム７が猿の手３１を捕えており、猿は、手３１を抜くことができなくなっている。猿が、罠１に入れた手３１を引き抜こうとすると、スプリング１０に引っ張られて、アーム４０は、引き抜かれて行く猿の手３１に沿って閉じて行き、最後に、枝アーム７が、猿の手首を挟んで抜けなくする。
猿が逃れようと更に強く手３１を引くと、アーム４０は、猿の手３１を締め付けるように猿自身の力で閉じる方向に回転し、猿の手３１を更に強く締め付ける。このようにして、猿は捕獲される。
【００４４】
本実施例の猿捕獲用の罠１は、前記のように構成されていて、前記のように作動するので、次のような効果を奏することができる。
猿は、透明な中筒４を通して餌２９を視認でき、前キャップ２に設けられた穴５に、その周りに備えられた開閉自在のアーム４０を押し開いてその手３１を入れる時に、手３１を括るワイヤーとか、罠を作動させるトリガーのような部品が無いため、過度の警戒心を抱かず手３１を入れてしまうので、猿の捕獲率が高い。
さらに、その罠１は、部品点数も少なく、軽量小型に製作することができ、しかも、罠１の設置は、罠１を、木の枝などに、罠１の吊り金具１１に結び付けた第１の紐２５で引っ掛け、罠拘束用のワイヤー等の第２の紐２６を木の幹などの固定物に巻き付けて、これを拘束するだけの簡単な作業なので、一人でいくつもの罠１を持って行って設置することができる。
【００４５】
また、猿が、罠１に手３１を入れようとすると、アーム４０は、手３１に押されて回転して開き、容易に手３１を罠１の中に差し込むことができる。次に、猿が、罠１に入れた手３１を引き抜こうとすると、アーム４０には、スプリング１０により、アーム４０を閉じる方向の力が掛かっているので、引き抜かれて行く猿３１の手に沿って、アーム４０が閉じて行き、最後に、リング状の適数個の枝アーム７が猿３１の手首を挟んで、手を抜けなくする。さらに、猿が、逃れようと更に強く手３１を引くと、アーム４０は、猿の手３１を締め付けるように猿自身の力で回転し、猿の手３１を更に強く締め付けるため、猿を確実に捕獲することができる。
一方、猿の手首を締め付けている枝アーム７は、捕獲ワイヤーのように、深く手首に食い込むことはないので、猿を傷つけることなく、捕獲することができる。
【００４６】
また、第２の紐２６は、確実に、堅固に、罠１の本体の後部に結び付けられ、罠１を、木の幹などの固定物に結び付けて、罠１を拘束するので、捕獲した猿が罠１ごと逃げるのを確実に防ぐことができる。
【００４７】
さらに、中筒４に設けられた適数個の通気孔１２から、餌２９の匂いが流出し、遠くにいる猿を引き寄せる誘引効果を増すことができる。さらに、この通気孔１２があるため、中の餌２９を傷みにくくすることができる。
【００４８】
また、猿を誘引する餌２９の取付けや交換を、後キャップ３に備えられた蓋１４を開閉することにより、容易に行うことができる。
【００４９】
また、前キャップ２、中筒４、後キャップ３の製作材料として、豊富に市販されている、水道や下水道などに用いられる、塩ビ（塩化ビニール）やアクリルやポリカーボネートからなる既製の配管材料を使用でき、入手が容易である。前キャップ２や後キャップ３の製作材料としては、他に、市販の金属製パイプを使用することも可能である。そして、これらの材料を輪切りに切断して、ドリルで穴を開けるだけで、前後のキャップや中筒を製作できるので、罠本体を安価に製造することができる。
【００５０】
なお、本願の発明は、前記実施例に限定されるものではなく、その要旨を逸脱しない範囲で、種々に変形されてよいことは言うまでもない。
例えば、罠１を構成する中筒４、前キャップ２、後キャップ３は、それらの外観構造が、いずれも円筒形状とされたが、これに限られず、四角筒形状もしくは多角筒形状とされてもよい。このようにすれば、これらの部材が、特に木板、樹脂板を用いて製作される場合に、罠１を製作し易い。
【００５１】
また、罠本体の前部と後部とに第１の紐２５の両端を結び付けるのに、吊り金具１１が用いられたが、これに限られず、前キャップ２と中筒４とを貫通する穴、後キャップ３と中筒４とを貫通する穴に、第１の紐２５の各端をそれぞれ通した後、各端にこぶしを作って抜け出ないようにしたり、各端を棒材等に括りつけて抜け出ないようにしたり、してもよい。
【００５２】
また、罠本体の後部に第２の紐２６を結び付けるのに、ワイヤー取り付け棒２２が用いられたが、これに限られず、後キャップ３及び中筒４を十分に強度の高い素材により製作して、第２の紐２６の両端を、後キャップ３の端壁３ａに設けられた２つの穴１７にそれぞれ通した後、各端にこぶしを作って抜け出ないようにしたり、各端を棒材等に括りつけて抜け出ないようにしたり、各端を結び合わせたり、してもよい。また、第２の紐２６の一端のみを罠本体の後部に結び付けるようにしてもよい。
【００５３】
さらに、弾性体として、コイルスプリング１０が用いられたが、これに限られず、板ばね等の各種ばね（スプリング）材、その他、ゴム材等が使用されてもよい。
【００５４】
また、前キャップ２と後キャップ３とは、中筒４の前部と後部とに、それぞれ外方から嵌着されたが、これに限られず、それぞれ内方から嵌着されるものとされてもよい。
【符号の説明】
【００５５】
１…猿捕獲用の罠、２…前キャップ、２ａ…端壁、２ｂ…周壁、３…後キャップ、３ａ…端壁、３ｂ…周壁、４…中筒、５…穴、６…アーム本体、７…枝アーム、８…アームホルダー、９…ピン、１０…コイルスプリング（弾性体）、１１…吊り金具、１２…通気孔、１３…蝶形ボルト、１４…蓋、１５…蝶番、１６…留め金、１７〜１９…穴、２０…アームユニット、２１…蓋ストッパー、２２…ワイヤー取り付け棒、２３…ナット、２４…穴、２５…第１の紐、２６…第２の紐、２７…第３の紐、２８…第４の紐、２９…餌、３０…リング、３１…猿の手、３２…ボルト、４０…アーム。
【図１】
2014217363.tif 000003
【図２】
2014217363.tif 000004
【図３】
2014217363.tif 000005
【図４】
2014217363.tif 000006
【図５】
2014217363.tif 000007
【図６】
2014217363.tif 000008
【図７】
2014217363.tif 000009
【図８】
2014217363.tif 000010
【図９】
2014217363.tif 000011
【図１０】
2014217363.tif 000012
【図１１】
2014217363.tif 000013
【図１２】
2014217363.tif 000014